(57)【要約】【課題】放送事故の発生を低減させることができる放送番組送出システムを提供することである。【解決手段】実施形態の放送番組送出システムは、第１〜第３のデータサーバ、スイッチャ、自動番組送出制御装置（ＡＰＣ）、及び、蓄積サーバを備える。ＡＰＣは、放送番組の送出前に、番組編成を示すオンエアデータに基づいて、第１、第２、及び第３のデータサーバに記憶されている各映像音声データの再生開始と再生停止とを制御して映像音声データをスイッチャに入力させるとともに、スイッチャに対して入力された映像音声データの選択を制御する。蓄積サーバは、スイッチャから出力される映像音声データを放送データとして記録する。ＡＰＣは、蓄積サーバに記憶されている放送データを送出する時刻になると、当該放送データを再生して蓄積サーバから出力させる。【選択図】図１
2015050712.tif 000002
【特許請求の範囲】
【請求項１】
放送番組本編の映像音声を含む番組素材データを予め記憶している第１のデータサーバと、
広告の映像音声を含む広告データを予め記憶している第２のデータサーバと、
放送番組の提供クレジットを示す映像又は音声を含む重畳用データを予め記憶している第３のデータサーバと、
前記第１のデータサーバ、前記第２のデータサーバ、及び前記第３のデータサーバから入力される映像音声データを選択して出力するスイッチャと、
前記放送番組の送出前に、番組編成を示すオンエアデータに基づいて、前記第１のデータサーバ、前記第２のデータサーバ、及び前記第３のデータサーバに記憶されている各映像音声データの再生開始と再生停止とを制御して前記映像音声データを前記スイッチャに入力させるとともに、前記スイッチャに対して前記入力された映像音声データの選択を制御する自動番組送出制御装置と、
前記スイッチャから出力される映像音声データを放送データとして記録する蓄積サーバと
を備え、
前記自動番組送出制御装置は、
前記蓄積サーバに記憶されている映像音声データを送出する時刻になると、当該映像音声データを再生して前記蓄積サーバから出力させる
ことを特徴とする放送番組送出システム。
【請求項２】
前記自動番組送出制御装置は、
前記第１のデータサーバ、前記第２のデータサーバ、前記第３のデータサーバのいずれかにおいて前記蓄積サーバに記憶する映像音声データが存在しないことを検出すると、前記検出をした旨を通知する
ことを特徴とする請求項１に記載の放送番組送出システム。
【発明の詳細な説明】
【技術分野】
【０００１】
本発明の実施形態は、ＯＡデータに基づいて放送信号を送出する放送番組送出システムに関する。
【背景技術】
【０００２】
放送局では、ＯＡ（On Air）データと呼ばれるプレイリスト（時刻表）に基づいて、実時間に番組サーバや、スイッチャ、エンコーダなどの伝送機器の制御を自動番組送出制御装置（Automatic Program Controller；ＡＰＣ）が行うことにより、番組の放送信号を送出している。
【先行技術文献】
【特許文献】
【０００３】
【特許文献１】特開２０１１−２２３２１９号公報
【発明の概要】
【発明が解決しようとする課題】
【０００４】
前述のような運用を行っている場合、ＯＡデータに入力ミスがあったり、送出機器に障害が発生したりすると、放送事故の発生に繋がる可能性がある。
【０００５】
本発明が解決しようとする課題は、放送事故の発生を低減させることができる放送番組送出システムを提供することである。
【課題を解決するための手段】
【０００６】
実施形態の放送番組送出システムは、第１のデータサーバ、第２のデータサーバ、第３のデータサーバ、スイッチャ、自動番組送出制御装置、及び、蓄積サーバを備える。第１のデータサーバは、放送番組本編の映像音声を含む番組素材データを予め記憶している。第２のデータサーバは、広告の映像音声を含む広告データを予め記憶している。第３のデータサーバは、放送番組の提供クレジットを示す映像又は音声を含む重畳用データを予め記憶している。スイッチャは、第１のデータサーバ、第２のデータサーバ、及び第３のデータサーバから入力される映像音声データを選択して出力する。自動番組送出制御装置は、放送番組の送出前に、番組編成を示すオンエアデータに基づいて、第１のデータサーバ、第２のデータサーバ、及び第３のデータサーバに記憶されている各映像音声データの再生開始と再生停止とを制御して映像音声データをスイッチャに入力させるとともに、スイッチャに対して入力された映像音声データの選択を制御する。蓄積サーバは、スイッチャから出力される映像音声データを放送データとして記録する。自動番組送出制御装置は、蓄積サーバに記憶されている映像音声データを送出する時刻になると、当該映像音声データを再生して蓄積サーバから出力させる。
【図面の簡単な説明】
【０００７】
【図１】実施形態における放送番組送出システムの構成例を示すブロック図である。
【図２】実施形態における放送番組送出システムによる完パケ作成・送出処理を示すフローチャートである。
【発明を実施するための形態】
【０００８】
以下、図面を参照して、実施形態における放送番組送出システムを説明する。図１は、本実施形態における放送番組送出システムの構成例を示すブロック図である。同図に示すように、放送番組送出システムは、データサーバ１、自動番組送出制御装置（ＡＰＣ）２、番組サーバ３１、ＣＭサーバ３２、ＶＡＦサーバ３３、スイッチャ４、蓄積サーバ５、スーパー発生器６、及び、キーヤー７を備えている。なお、同図には、番組サーバ３１、ＣＭサーバ３２、ＶＡＦサーバ３３それぞれが一つの場合を示しているが、複数であってもよい。
【０００９】
データサーバ１は、番組編成を示すＯＡデータを記憶している。データサーバ１は、記憶しているＯＡデータを自動番組送出制御装置２に入力する。
自動番組送出制御装置２は、番組サーバ３１、ＣＭサーバ３２、ＶＡＦサーバ３３、スイッチャ４、蓄積サーバ５、及び、キーヤー７と通信可能に接続されている。例えば、自動番組送出制御装置２と各装置とはＬＡＮなどの通信回線を介して接続される。自動番組送出制御装置２は、データサーバ１から入力されるＯＡデータに基づいて、番組サーバ３１、ＣＭサーバ３２、ＶＡＦサーバ３３、スイッチャ４、蓄積サーバ５、キーヤー７の動作を制御する。
【００１０】
自動番組送出制御装置２は、番組サーバ３１、ＣＭサーバ３２、ＶＡＦサーバ３３、蓄積サーバ５に対して、各装置が記憶している素材（コンテンツなど）の再生開始や再生停止などの制御を行う。また、自動番組送出制御装置２は、スイッチャ４に対して、番組サーバ３１、ＣＭサーバ３２、ＶＡＦサーバ３３、蓄積サーバ５が素材を再生して出力する信号のいずれを選択して、蓄積サーバ５又はキーヤー７に出力するかの切り替え制御を行う。また、自動番組送出制御装置２は、キーヤー７に対して、スーパー発生器６において生成されるスーパー（文字・図形など）を放送信号に重畳させるか否かの切り替え制御を行う。
【００１１】
番組サーバ３１には、番組編成において用いられる放送番組本編のコンテンツなどの番組素材データが記憶されている。番組サーバ３１は、自動番組送出制御装置２からの制御に応じて、記憶している番組素材データのうち、指定された番組素材データを指定された開始時間から再生開始してスイッチャ４に出力する。また、番組サーバ３１は、自動番組送出制御装置２からの制御に応じて、番組素材データの再生を停止する。
【００１２】
ＣＭ（Commercial  Message）サーバ３２には、１５秒や３０秒などの時間長の映像音声を含む広告データが記憶されている。広告データは、番組編成において用いられるコンテンツの前後や、コンテンツの途中において放送される。ＣＭサーバ３２は、番組サーバ３１と同様に、自動番組送出制御装置２からの制御に応じて、記憶している広告データのうち、指定された広告データを再生してスイッチャ４に出力する。
【００１３】
ＶＡＦ（Video Audio File）サーバ３３には、番組素材データに重畳して再生される映像、音声、又は映像と音声とを組み合わせたＶＡＦデータが記憶されている。ＶＡＦデータは、例えば、番組の提供クレジットを示す文字や音声、マーク、キャラクタなどを含むデータ（例えば、テロップデータ）である。ＶＡＦサーバ３３は、番組サーバ３１と同様に、自動番組送出制御装置２からの制御に応じて、記憶しているＶＡＦデータのうち、指定されたＶＡＦデータを再生してスイッチャ４に出力する。
【００１４】
スイッチャ４には、番組サーバ３１、ＣＭサーバ３２、ＶＡＦサーバ３３、蓄積サーバ５から素材データが入力される。また、スイッチャ４には、自動番組送出制御装置２からの制御情報が入力される。スイッチャ４は、番組サーバ３１、ＣＭサーバ３２、ＶＡＦサーバ３３、蓄積サーバ５から入力される素材データのうち、制御情報が指定する少なくとも一つの素材データを映像音声データとして蓄積サーバ５又はキーヤー７に入力する。
【００１５】
蓄積サーバ５は、スイッチャ４から入力される映像音声データを記憶する。蓄積サーバ５は、自動番組送出制御装置２からの制御に応じて、記憶している映像音声データを再生してスイッチャ４に出力する。また、蓄積サーバ５は、自動番組送出制御装置２からの制御に応じて、映像音声データの再生を停止する。
なお、前述した、番組サーバ３１、ＣＭサーバ３２、ＶＡＦサーバ３３、及び、蓄積サーバ５においける記憶媒体は、その種類を問わないものであり、ＨＤＤ（Ｈａｒｄ  Ｄｉｓｋ  Ｄｒｉｖｅ）であってもよいし、記録及び読み出しを高速に行えるように不揮発性半導体メモリを用いたものであってもよい。
【００１６】
スーパー発生器６は、現在時刻を表す時刻スーパーや、天気予報を表す天気スーパー、地震などの災害の発生や速報を表す緊急スーパーなどのリアルタイムの情報に基づいた文字、記号、マークなどを含む付加情報を生成する。スーパー発生器６は、生成した付加情報（スーパー）をキーヤー７に出力する。
【００１７】
キーヤー７は、自動番組送出制御装置２からの制御に応じて、スイッチャ４から出力された映像音声データに、スーパー発生器６から出力されるスーパーを重畳させるか否かを切り替える。キーヤー７は、スーパーを重畳した映像音声データ、又はスーパーを重畳しない映像音声データを不図示の送出設備に出力する。送出設備は、入力されたデータを所定の規格の電波信号などに変換して送出する。
【００１８】
図２は、本実施形態における放送番組送出システムによる完パケ作成・送出処理を示すフローチャートである。放送番組送出システムにおける番組の組み立て（完パケ化；完全パッケージの作成）は、ＯＡデータが示す番組編成を送出するｎ時間前に開始される。なおｎ時間前とは、作成対象の完パケの送出を開始する時刻に対して当該完パケの時間長より前、すなわち送出前に完パケの作成が完了する時間だけ前のことである。
【００１９】
完パケ作成・送出処理が開始されると、自動番組送出制御装置２は、データサーバ１から入力されたＯＡデータに基づいて、番組サーバ３１、ＣＭサーバ３２、ＶＡＦサーバ３３、及び、スイッチャ４を制御して、ＯＡデータに従った映像音声データをスイッチャ４に選択させる。すなわち、ＯＡデータが示す番組編成の映像音声データ（完パケ）が生成される。
【００２０】
このとき、自動番組送出制御装置２は、ＯＡデータに従った映像音声データを蓄積サーバ５に出力させる制御をスイッチャ４に対して行うとともに、蓄積サーバ５に当該映像音声データを記憶させる（ステップＳ１）。
なお、蓄積サーバ５においては、映像音声データに識別子を付与して記憶する。識別子は、例えば、映像音声データを送出する日時時刻であってもよいし、送出順序を示す数値であってもよい。
【００２１】
番組編成に従った映像音声データを生成する過程において、監視者はスイッチャ４から出力される映像音声データをモニターなどで確認し、ＯＡデータに誤りがあったか否か、番組サーバ３１、ＣＭサーバ３２、ＶＡＦサーバ３３、スイッチャ４などの装置に故障等の障害が生じていたか否かを判定する（ステップＳ２）。なお、モニターなどで映像音声データを確認する際に、蓄積サーバ５に記憶させた映像音声データを再生するようにしてもよい。
【００２２】
ＯＡデータに誤りがあったり、装置に障害が生じていたりした場合（ステップＳ２：ＹＥＳ）、処理をステップＳ１に戻し、映像音声データ（完パケ）の作成を再度行う。
一方、ＯＡデータに誤りがなく、装置に障害が生じることなく映像音声データの作成が完了した場合（ステップＳ２：ＮＯ）、自動番組送出制御装置２は、蓄積サーバ５に記憶されている映像音声データを送出する時刻になると、再生開始すべき映像音声データの識別子を指定して当該映像音声データを蓄積サーバ５に再生させる。また、自動番組送出制御装置２は、蓄積サーバ５から出力される映像音声データをキーヤー７に出力させる制御をスイッチャ４に対して行い、送出処理を行い（ステップＳ３）、完パケ作成・送出を終了する。
【００２３】
このように、実際の放送を行う前に、番組データ、広告データ、提供クレジットを組み立てて映像音声データ（完パケ化された放送データ）を作成し、識別子とともに蓄積サーバ５に記憶させる。実際の放送時には、完パケに付与した識別子に基づいて蓄積サーバ５に記憶されている完パケを特定して再生させ、スイッチャ４及びキーヤー７を介して送出設備に出力させる。これにより、実際の放送時には、番組サーバ３１の再生停止制御や番組データの切り替えなどの複雑な処理、番組データとＣＭデータとの切り替え、提供クレジットのオーバーラップ制御を行う必要がないため、安定した送出を行うことができ、放送事故の発生を低減させることができる。
【００２４】
また、映像音声データを実際に送出する前に、ほとんど同じ処理を行うため、自動番組送出制御装置２や、番組サーバ３１、ＣＭサーバ３２、ＶＡＦサーバ３３、スイッチャ４などに障害が生じているか否か、ＯＡデータに誤りが含まれているか否かを事前に把握することができる。設備に障害が生じている場合や、ＯＡデータに誤りが含まれている場合であっても、実際の送出までに障害を修正し、再度、完パケの作成（完パケ化）を行うことができるので、放送事故の発生を低減させることができる。
【００２５】
また、蓄積サーバ５には、映像音声データがデジタル信号として記憶されているので、複製が容易であるため、放送番組送出システムが多重化されている場合には各システムの蓄積サーバ５に完パケ化された映像音声データを複製することで、映像音声データの送出中にスイッチャ４やキーヤー７などに障害が生じても、バックアップ用の放送番組送出システムを切り替えて同じ映像音声データ（完パケ化された放送データ）の送出を継続させることができ、放送事故の発生を低減させることができる。
【００２６】
なお、上述した本実施形態に係る放送番組送出システムは、上述の態様に限定されるものでなく、以下のように変形可能である。
例えば、完パケとなる映像音声データに生中継などの送出時にならないと得られない素材データを含める場合には、当該素材データの部分を空白領域にした映像音声データを蓄積サーバ５に記憶させる。実際の送出する際に、蓄積サーバ５から出力される映像音声データに空白領域をスイッチャ４又は自動番組送出制御装置２が検出すると、スイッチャ４が生中継などの素材データを選択してキーヤー７に出力するようにしてもよい。また、空白領域を示すコードを当該空白領域に映像音声データに含めるようにしてもよい。
【００２７】
また、蓄積サーバ５に記憶させる映像音声データ（完パケ化された放送データ）を作成している際に、番組サーバ３１や、ＣＭサーバ３２、ＶＡＦサーバ３３に使用する素材データが記憶されていないことを、自動番組送出制御装置２が検出すると、素材データの不足を監視者に通知するアラームを出力するようにしてもよい。
【００２８】
また、上述した放送番組送出システムにおける機能を実現するためのプログラムをコンピュータ読み取り可能な記録媒体に記録して、この記録媒体に記録されたプログラムをコンピュータシステムに読み込ませ、実行することによりその機能を実現させてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。更に、前述した機能をコンピュータシステムに既に記録されているプログラムとの組み合わせで実現できるもの、いわゆる差分ファイル（差分プログラム）であっても良い。
【００３０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００３１】
１…データサーバ
２…自動番組送出制御装置
３１…番組サーバ
３２…ＣＭサーバ（広告サーバ）
３３…ＶＡＦサーバ（映像音声サーバ）
４…スイッチャ
５…蓄積サーバ
６…スーパー発生器
７…キーヤー
【図１】
2015050712.tif 000003
【図２】
2015050712.tif 000004